(57)【要約】      （修正有）【課題】刺繍台が既成のテーブル椅子を利用することにより容易に設置でき、しかも取り外してコンパクトに収納することができる卓上刺繍台を提供する。【解決手段】卓上に載せる台座２に、刺繍枠を載せて支持する支持枠３を前後及び高さ方向にリンク機構４を通じて可動自在に設け、リンク機構４により可動される支持枠３の台座２上方での前後方向の張り出し及びその高さを調節し保持する支持枠調節保持機構５を設け、刺繍時に刺繍を刺す者の寄りかかる重みにより支持枠３及び台座２が卓上で傾き及び転落するのを、支持枠３の側方の台座２の一部から前方に張り出すスライド部材の前部側に高さ調整自在に保持され且つ床面で支持される支持脚６４を通じて防ぐ傾き転落防止機構６を設ける。【選択図】図１
0003190610.tif 000002
【実用新案登録請求の範囲】
【請求項１】
卓上に載せる台座に、刺繍枠を載せて支持する支持枠を前後及び高さ方向にリンク機構を通じて可動自在に設け、リンク機構により可動される支持枠の台座上方での前後方向の張り出し及びその高さを調節し保持する支持枠調節保持機構を設け、刺繍時に刺繍を刺す者の寄りかかる重みにより支持枠及び台座が卓上で傾き及び転落するのを、支持枠の側方の台座の一部から前方に張り出すスライド部材の前部側に高さ調整自在に保持され且つ床面で支持される支持脚を通じて防ぐ傾き転落防止機構を設けたことを特徴とする卓上刺繍台。
【請求項２】
卓上に載せる台座に、刺繍枠を載せて支持する支持枠を前後及び高さ方向にリンク機構を通じて可動自在に設け、前記リンク機構を、台座に前後向きに設けられた左右のリンク軸受け固定片と、左右の各リンク軸受け固定片の前部側の外側面に下部側が回動自在に軸支され上記支持枠を構成する左右の側端枠の前部側の外側面に上部側が回動自在に軸支される前部可動リンク片と、上記前部可動リンク片の軸支される下部側より後方側の左右の各リンク軸受け固定片の外側面に下部側が回動自在に軸支され上記前部可動リンク片の軸支される上部側より後方側の上記左右の側端枠の外側面に上部側が回動自在に軸支される後部可動リンク片とから構成し、リンク機構により可動される支持枠の台座上方での前後方向の張り出し及びその高さを調節し保持する支持枠調節保持機構を支持枠の左右の側端枠と左右のリンク機構との間に設け、前記支持枠調節保持機構を、上記支持枠の左右の側端枠の内側面に上部側が回動自在に軸支される調節保持アーム片と、左右の調節保持アーム片の下部側の間に連結される係止部材と、左右のリンク軸受け固定片の間の台座上面に前後方向に複数設けられ上記係止部材を係止する係止部材受け片とから構成し、刺繍時に刺繍を刺す者の寄りかかる重みにより支持枠及び台座が卓上で傾き及び転落するのを、支持枠の側方の台座の一部から前方に張り出すスライド部材の前部側に高さ調整自在に保持され且つ床面で支持される支持脚を通じて防ぐ傾き転落防止機構を設け、前記傾き転落防止機構を、支持枠の側方の台座の上面の一部に取り付けられるスライド部材保持片と、スライド部材保持片に台座の前後方向にスライド自在に保持されるスライド部材と、スライド部材の前部側に形成される支持脚保持枠と、支持脚保持枠に高さ調整自在に保持され且つ床面で支持される支持脚とから構成したことを特徴とする卓上刺繍台。
【請求項３】
スライド部材の前部側の側面には糸縒り棒受けが形成されている請求項１又は請求項２に記載の卓上刺繍台。
【考案の詳細な説明】
【技術分野】
【０００１】
この考案は、種々の糸を用いて布地の表面に絵や模様を表す刺繍の刺繍台に係り、特に、日本刺繍の正座による姿勢を椅子による姿勢に変更することができるもので既成のテーブルに容易に取り付けることができまた不要の場合は取り外し折りたたんでコンパクトに収納できる卓上刺繍台に関するものである。
【背景技術】
【０００２】
従来、日本刺繍は正座用の刺繍台を用いるのが一般的であるが、椅子の生活スタイルに慣れた者や、怪我や加齢に伴い膝が悪い者にとって、正座しての刺繍は苦痛を伴う。これに比べて、椅子に腰掛けての刺繍は膝への負担もない。ただ、椅子に変更する場合には、これに合わせて刺繍台を高くする必要があり、刺繍台に脚を継ぎ足す構造となっている。
【先行技術文献】
【特許文献】
【０００３】
【特許文献１】実開昭６３−１２３６８７
【特許文献２】実用新案登録第３０８０９６１号
【考案の概要】
【考案が解決しようとする課題】
【０００４】
しかしながら、刺繍台に脚を継ぎ足したものを使用する場合、椅子を新たに準備するなど居住空間を相当占有することとなった。また、脚を継ぎ足した刺繍台を使用後に収納するのも面倒であった。
【０００５】
この考案は、上記のような課題に鑑み、その課題を解決すべく創案されたものであって、その目的とするところは、刺繍台が既成のテーブル椅子を利用することにより容易に設置でき、しかも取り外してコンパクトに収納することができる卓上刺繍台を提供することにある。
【課題を解決するための手段】
【０００６】
以上の課題を達成するために、請求項１の考案に係る卓上刺繍台は、卓上に載せる台座に、刺繍枠を載せて支持する支持枠を前後及び高さ方向にリンク機構を通じて可動自在に設け、リンク機構により可動される支持枠の台座上方での前後方向の張り出し及びその高さを調節し保持する支持枠調節保持機構を設け、刺繍時に刺繍を刺す者の寄りかかる重みにより支持枠及び台座が卓上で傾き及び転落するのを、支持枠の側方の台座の一部から前方に張り出すスライド部材の前部側に高さ調整自在に保持され且つ床面で支持される支持脚を通じて防ぐ傾き転落防止機構を設けた手段よりなるものである。
【０００７】
以上の課題を達成するために、請求項２の考案に係る卓上刺繍台は、卓上に載せる台座に、刺繍枠を載せて支持する支持枠を前後及び高さ方向にリンク機構を通じて可動自在に設け、前記リンク機構を、台座に前後向きに設けられた左右のリンク軸受け固定片と、左右の各リンク軸受け固定片の前部側の外側面に下部側が回動自在に軸支され上記支持枠を構成する左右の側端枠の前部側の外側面に上部側が回動自在に軸支される前部可動リンク片と、上記前部可動リンク片の軸支される下部側より後方側の左右の各リンク軸受け固定片の外側面に下部側が回動自在に軸支され上記前部可動リンク片の軸支される上部側より後方側の上記左右の側端枠の外側面に上部側が回動自在に軸支される後部可動リンク片とから構成し、リンク機構により可動される支持枠の台座上方での前後方向の張り出し及びその高さを調節し保持する支持枠調節保持機構を支持枠の左右の側端枠と左右のリンク機構との間に設け、前記支持枠調節保持機構を、上記支持枠の左右の側端枠の内側面に上部側が回動自在に軸支される調節保持アーム片と、左右の調節保持アーム片の下部側の間に連結される係止部材と、左右のリンク軸受け固定片の間の台座上面に前後方向に複数設けられ上記係止部材を係止する係止部材受け片とから構成し、刺繍時に刺繍を刺す者の寄りかかる重みにより支持枠及び台座が卓上で傾き及び転落するのを、支持枠の側方の台座の一部から前方に張り出すスライド部材の前部側に高さ調整自在に保持され且つ床面で支持される支持脚を通じて防ぐ傾き転落防止機構を設け、前記傾き転落防止機構を、支持枠の側方の台座の上面の一部に取り付けられるスライド部材保持片と、スライド部材保持片に台座の前後方向にスライド自在に保持されるスライド部材と、スライド部材の前部側に形成される支持脚保持枠と、支持脚保持枠に高さ調整自在に保持され且つ床面で支持される支持脚とから構成した手段よりなるものである。
【考案の効果】
【０００８】
以上のような課題を解決するための手段を備えた卓上刺繍台によれば、次のような優れた効果を奏することができる
（１）既成のテーブルに取り付けることにより、刺繍が特別なスペースを設定することなくできる。
（２）これまでの刺繍台は正座を前提として作られていたので、今日の生活スタイルから一般の人には容易ではなかった椅子により、正座が得意でなく、また膝痛で悩む者をはじめ誰でも刺繍を楽しむことができる。
（３）これまでの刺繍台に接ぎ脚をする場合、専用の椅子が必要となり、又スペースもかなり占有されたが、これらの不都合を解消できる。
（４）テーブル、椅子のある部屋において日本刺繍が容易にできる。
（５）これまでの刺繍台の刺繍面の高さ調整は部品を別に必要としたが、この考案による卓上刺繍台を使用することにより、刺繍面の高さ調整が支持体の移動のみで可能である。
（６）取り外した場合、折りたたんでコンパクトに収納できる。
（７）卓上刺繍台の上に刺繍枠を取り付けて刺繍をするため、交換が簡単で複数の刺繍ができる。
（８）この卓上刺繍台による前記（１）〜（７）の効果に加えて次のような優れた効果を奏することができる。即ち、例えば半透明アクリル板を刺繍面上に取り付け、下部より光をあてることにより、トレース台として使用でき、型の写しができる。
【図面の簡単な説明】
【０００９】
【図１】この考案を実施するための形態を示す卓上刺繍台の正面図である。
【図２】この考案を実施するための形態を示す卓上刺繍台の背面図である。
【図３】この考案を実施するための形態を示す卓上刺繍台の平面図である。
【図４】この考案を実施するための形態を示す卓上刺繍台の左側面図である。
【図５】この考案を実施するための形態を示す卓上刺繍台の右側面図である。
【図６】この考案を実施するための形態を示す卓上刺繍台の左側断面図である。
【図７】この考案を実施するための形態を示す卓上刺繍台の折り畳み時の平面図である。
【図８】この考案を実施するための形態を示す卓上刺繍台の折り畳み時の左側面図である。
【図９】この考案を実施するための形態を示す卓上刺繍台の高位置の左側面図である。
【図１０】この考案を実施するための形態を示す刺繍枠を載せた時の卓上刺繍台の平面図である。
【図１１】この考案を実施するための形態を示す卓上刺繍台を卓上の載せての使用状態図である。
【考案を実施するための形態】
【００１０】
以下、図面に記載の考案を実施するための形態に基づいて、この考案をより具体的に説明する。
【００１１】
図において、卓上刺繍台１は、例えば椅子に腰掛けて既存のテーブルなどの卓上ａの上で、刺繍ができるようにするもので、卓上ａに載せる台座２、刺繍枠１１を載せて支持する支持枠３を前後及び高さ方向に可動するリンク機構４、支持枠の台座上方での前後方向の張り出し及びその高さを調節し保持する支持枠調節保持機構５、刺繍時に刺繍を刺す者の寄りかかる重みにより支持枠３及び台座２が卓上ａで傾き及び転落するのを防ぐ傾き転落防止機構６などから構成されている。
【００１２】
台座２は、既存のテーブルなどの卓上ａの上面に直に載せられるもので、例えば長方形の板状のものから構成される。台座２は卓上ａの上面に横長に載置されて使用される。この台座２の上側には、刺繍枠１１を載せて支持する支持枠３が前後及び高さ方向にリンク機構４を通じて可動自在に設けられている。
【００１３】
支持枠３は、左右幅方向に配置された前端枠３１、前後方向に配置された左右の側端枠３２、左右の側端枠３２の後半側の間に左右幅方向に配置された後部連結枠３３とから構成されている。左右の側端枠３２はその各前端が、前端枠３１の両端に直角に連結されている。左右の側端枠３２は平行に配置されている。後部連結枠３３は前端枠３１に平行に配置され、その両端は左右の側端枠３２の後半側の内側面に直角に連結されている。
【００１４】
支持枠３は、前端枠３１、左右の両側端枠３２、及び後部連結枠３３で囲まれる内部は方形状の中空になっている。この中空部分を利用して、中空部分の真上の刺繍枠１１に張られた刺繍用生地１１ａに、上下から刺繍針を通して刺繍できるようになっている。支持枠３の左右の側端枠３２の後端側は、左右幅方向に配置された後部連結枠３３より後方まで張り出している。刺繍枠１１が大きいときや刺繍枠１１を後方にずらすときには、側端枠３２の張り出している後端側でも支持できるようにである。
【００１５】
リンク機構４は台座２の左右側にそれぞれ設けられている。左右のリンク機構４は支持枠３の左右の両側端枠３２の外側面の上下箇所に設けられている。リンク機構４は、刺繍枠１１を載せて支持する支持枠３を、前後及び高さ方向に平行状態を保って自由に可動させる構造になっている。リンク機構４は、リンク軸受け固定片４１、前部可動リンク片４２、後部可動リンク片４３などから構成されている。
【００１６】
台座２の上面の左右側には、左右のリンク機構４を構成する各リンク軸受け片４１がそれぞれ前後向きに設けられている。前後向きの各リンク軸受け固定片４１は台座２の上面に左右平行に固定して取り付けられている。左右の各リンク軸受け固定片４１の外側面には、前部可動リンク片４２及び後部可動リンク片４３の各下部側の内側面が前後方向の上下回りに回動自在に軸支されている。
【００１７】
即ち、左右の各リンク軸受け固定片４１の外側面の前部側には、前部可動リンク片４２の下部側の内側面が前部リンク下軸４２ａによって前後方向の上下回りに回動自在に軸支されている。同様に、左右の各リンク軸受け固定片４１の外側面の後部側には、後部可動リンク片４３の下部側の内側面が後部リンク下軸４３ａによって前後方向の上下回りに回動自在に軸支されている。
【００１８】
各リンク軸受け固定片４１にその下部側が回動自在に軸支された前部可動リンク片４２及び後部可動リンク片４３は、その上部側の内側面が各リンク軸受け固定片４１の上方に位置している上記支持枠３の左右の側端枠３２の外側面に、前後方向の上下回りに回動自在に軸支されている。
【００１９】
即ち、支持枠３の左右の側端枠３２の外側面の前部側には、前部可動リンク片４２の上部側の内側面が前部リンク上軸４２ｂによって前後方向の上下回りに回動自在に軸支されている。同様に、左右の側端枠３２の外側面の後部側には、後部可動リンク片４３の上部側の内側面が後部リンク上軸４３ａによって前後方向の上下回りに回動自在に軸支されている。
【００２０】
前部可動リンク片４２及び後部可動リンク片４３は厚みのある長方形の形状からなっている。前部可動リンク片４２及び後部可動リンク片４３の各下部側は、前後方向の上下回りに回動する際に台座２の上面に端部の角部が当たらないよう、例えば長方形の端部の角部が切除された形状或いは図のように半円形状に形成されている。
【００２１】
同様に、前部可動リンク片４２及び後部可動リンク片４３の各上部側は、前後方向の上下回りに回動する際に、支持枠３の側端枠３２の上面からはみ出した刺繍枠１１の下面に端部の角部が当たらないよう、例えば長方形の端部の角部が切除された形状或いは図のように半円形状に形成されている。
【００２２】
左右の各リンク軸受け固定片４１に軸支される前部可動リンク片４２及び後部可動リンク片４３は、それぞれ左右対称な位置に取り付けられている。また各前部リンク下軸４２ａ及び各後部リンク下軸４３ａは、左右の前後向きの各リンク軸受け固定片４１及び前部可動リンク片４２と後部可動リンク片４３に対して直交方向に取り付けられ、左右で同一軸線上になる箇所に取り付けられている。
【００２３】
同様に、各前部リンク上軸４２ｂ及び各後部リンク上軸４３ｂは、支持枠３の左右の前後向きの側端枠３２及び前部可動リンク片４２と後部可動リンク片４３に対して直交方向に取り付けられ、又左右で同一軸線上になる箇所に取り付けられている。
【００２４】
リンク機構４で可動する支持枠３は、左右のリンク軸受け固定片４１の上方で前後及び上下の高さ方向に可動する。支持枠３の高さ方向の可動域の最も低い位置で、左右の側端枠３２の下面が左右のリンク軸受け固定片４１の上面に当接する。支持枠３は、リンク機構４を構成する前部可動リンク片４２及び後部可動リンク片４３の働きを通じて、左右のリンク軸受け固定片４１の上方で、前後及び高さ方向に平行状態を保って自由に可動される。
【００２５】
支持枠調節保持機構５は、台座２の上での支持枠３の前後方向の張り出し及びその高さを調節して所望の前後方向の張り出し及び高さに保持する機構で、支持枠３の左右の側端枠３２及び左右のリンク機構４の間に設けられている。支持枠調節保持機構５は、左右の調節保持アーム片５１、左右の調節保持アーム片５１の下部側の間に連結された係止部材５２、台座２の上面に突設された係止部材受け片５３などから構成されている。
【００２６】
支持枠調節保持機構５を構成する左右の調節保持アーム片５１はその上部側が、支持枠３の左右の側端枠３２に、前後方向の上下回りに回動自在にそれぞれ軸支されている。また、左右の調節保持アーム片５の下部側の間には例えば断面が円形の細長い棒状の係止部材５２が横架されて連結されている。即ち、係止部材５２の両端は左右の各調節保持アーム片５１の下部側の内側面にそれぞれ取り付けられている。そして左右の調節保持アーム片５１はこの係止部材５２を通じて連動連結されている。
【００２７】
左右の各調節保持アーム片５１は、その上部側の外側面が支持枠３の側端枠３２の内側面に前後方向の上下回りに回動自在に軸支されている。即ち、左右の側端枠３２の内側面のやや後部側には、調節保持アーム片５１の上部側の外側面がアーム軸５１ａによって側端枠３２の内側面に前後方向の上下回りに回動自在に軸支されている。左右のアーム軸５１ａは調節保持アーム片５１及び側端枠３２に直交する方向に取り付けられ、又左右のアーム軸５１ａは同一軸線上に位置するように取り付けられている。
【００２８】
左右の調節保持アーム片５１の間に位置する台座２の上面には、左右の調節保持アーム片５１の下部側の間に横架されて連結された係止部材５２を止める複数の係止部材受け片５３が取り付けられている。各係止部材受け片５３は例えば断面矩形の形状を有し台座２の上面に突設されている。各係止部材受け片５３は、左右のリンク軸受け固定片４１の間に、台座２の幅方向に向けて取り付けられている。
【００２９】
また、複数の係止部材受け片５３は、左右の調節保持アーム片５１の下部側の間に横架されて連結された係止部材５２と平行になるように取り付けられている。複数の係止部材受け片５３は、例えば台座２の上面の前端から後方に向けて、係止部材５２が係止される間隔をあけて、前後に平行に取り付けられている。
【００３０】
左右の調節保持アーム片５１の下部側の間に連結された係止部材５２が、台座２の上面から突起する係止部材受け片５３の断面矩形の後面に当接することにより、左右の調節保持アーム片５１は前方に向けて可動するのが阻止される。これにより、左右の調節保持アーム片５１の上部側がアーム軸５１ａを介して軸支される支持枠３は、前方へのスライド移動及び下方方向への移動が阻止されて保持され、支持枠３の所望の前後方向及び高さ方向の調節と保持が図られる。
【００３１】
ところで、刺繍時に刺繍を刺す者は利き腕の方に体が寄りかかることがよく起きる。そして、利き腕の方に体が寄りかかると、体重の一部が支持枠３に載せられて保持されている刺繍枠１１の利き腕側に乗り移って、刺繍枠１１を通じてその下側の支持枠３の一部分に体重の一部が集中荷重として作用することになる。
【００３２】
この場合において、支持枠３が台座２の前端より前方に突出しているとき、突出している部分に体重の一部が集中荷重として作用すると、支持枠３及び台座２には、台座２の前端を支点として手前回りの回転モーメントが生じる。また、台座２の前端が卓上ａの前端より手前側に突出しているときには、支持枠３及び台座２には、卓上ａの前端を支点として手前回りのさらに大きな回転モーメントが生じる。これらの回転モーメントにより、支持枠３及び台座２は手前側に傾いたり、酷いときには傾き過ぎて卓上ａから転落することがある。
【００３３】
傾き転落防止機構６は、刺繍時に刺繍を刺す者の寄りかかる重みにより支持枠３及び台座２が卓上ａで傾いたり或いは転落するのを防ぐもので、支持枠３の側方の台座２の一部から前方に張り出すスライド部材の前部側に高さ調整自在に保持され且つ床面で支持される支持脚を通じて防ぐ構造になっている。
【００３４】
傾き転落防止機構６は、支持枠３の側方の台座２の上面の一部に取り付けられるスライド部材保持片６１、スライド部材保持片６１に台座２の前後方向にスライド自在に保持されるスライド部材６２、スライド部材６２の前部側に形成される支持脚保持枠６３、支持脚保持枠６３に高さ調整自在に保持され且つ床面で支持される支持脚６４から構成されている。
【００３５】
刺繍を刺す者の利き腕の方となる支持枠３の側方、例えば図では支持枠３の右側の台座２の上面の一部には、前方に張り出すスライド部材６２の後部側を保持するスライド部材保持片６１が前後方向に固定して取り付けられている。図は右利き用である。左利き用の場合には、スライド部材保持片６１は支持枠３の左側の台座２の上面の一部に固定して取り付けられる。
【００３６】
スライド部材６２は台座２の前端から前方に向けてスライド自在に張り出す部材で、前方に向けて張り出したスライド部材６２の後部側の一側面は、上記のスライド部材保持片６１の一側面に前後調節保持具６２ａにより一時的に固定されて保持される。スライド部材６２の後部側の側面には前後方向に長孔の前後スライド長孔６２ｂが形成されている。スライド部材６２は、前後調節保持具６２ａが前後スライド長孔６２ｂの任意の位置を貫通してスライド部材保持片６１に連結されるので、所望の張り出し位置でスライド部材保持片６１に保持できる。
【００３７】
スライド部材６２の前部側には上下方向に延びる支持脚６４を高さ方向に調節自在に保持する支持脚保持枠６３が形成されている。支持脚保持枠６３は上下方向に貫通孔を有しており、支持脚６４は支持脚保持枠６３の貫通孔を貫通して高さ調節保持具６４ａにより一時的に固定されて保持される。支持脚保持枠６３は、例えば図ではスライド部材保持片６１の側面と当接する側の側面に形成されている。また支持脚保持枠６３は、平面からみて例えば四角形の形状を有している。
【００３８】
支持脚６４は、台座２の前方に向けて張り出したスライド部材６２の前部側に形成された支持脚保持枠６３を上下方向つまり高さ方向に貫通して、一時的に固定されて保持され、その下端面が床面に接地することにより、スライド部材６２を通じて、台座２及び支持枠３が前方つまり手前側に、刺繍時に刺繍を刺す者の寄りかかる重みにより支持枠３及び台座２が卓上ａで傾いたり或いは転落するのを防ぐ役目を果たす。
【００３９】
支持脚６４は支持脚保持枠６３を四角形の貫通孔を貫通できるように、平面からみて四角形の断面形状に形成されている。又支持脚６４の上部側の側面には上下方向に長孔の上下スライド長孔６４ｂが形成されている。支持脚６４は、高さ調節保持具６４ａが上下スライド長孔６４ｂの任意の位置を貫通してスライド部材６２の前部側に連結されるので、支持脚６４の下端面が床面と常に接地する所望の高さでスライド部材６２の前部側に保持できる。
【００４０】
また、スライド部材６２の前部側の側面には糸縒り棒受け６５が形成されている。糸縒り棒受け６５は、刺繍のときに刺繍糸が縒るのを防ぐために使用される糸縒り棒６５ａの下部側を一時的に保持するものである。糸縒り棒受け６５は、例えば図ではスライド部材保持片６１の側面と当接しない外側面に形成されている。また糸縒り棒受け６５は、平面からみて例えば四角形の形状の貫通孔からなり、図では２つ形成されている。
【００４１】
糸縒り棒６５ａの下部を糸縒り棒受け６５の貫通孔に差し込んで上部側を前方に向けて傾けると、糸縒り棒６５ａの下部の一部が貫通孔の前側の周縁に係止され、貫通孔に差し込んだ糸縒り棒６５ａの下端が貫通孔内の反対側の後側の内側面に当接して係止されることで、糸縒り棒６５ａは糸縒り棒受け６５に前方に向けて斜め上向きに傾斜した状態で保持される。
【００４２】
次に、上記考案を実施するための形態の構成に基づく使用方法について以下説明する。
テーブルなどの卓上ａに卓上刺繍台１を載せる。このとき、刺繍を刺し易いように、卓上刺繍台１の台座２の前端を卓上ａの前端に揃える。また、卓上刺繍台１が卓上ａでずれないように、図示しない保持具などにより、保持させるのが望ましい。
【００４３】
続いて、卓上刺繍台１の台座２の片側に設けられている傾き転落防止機構６のスライド部材保持片６１にスライド部材６２を固持している前後調節保持具６２ａを弛めて、スライド部材６２を手前側つまり台座２の前端から前方側に引き出し、前後調節保持具６２ａを締め直す。これによりスライド部材６２は台座２の前方に引き出された状態で、その後部側がスライド部材保持片６１を通じて台座２に固定した状態で保持される。
【００４４】
台座２の前方に引き出されて台座２に固定されたスライド部材６２の前部側の支持脚保持枠６３の貫通孔に上方から支持脚６４を挿入する。支持脚保持枠６３に挿入した支持脚６４の下端がテーブルなどが設置されている床面に接地したところで、支持脚保持枠６３の側部から高さ調節保持具６４ａを装着する。高さ調節保持具６４ａを支持脚保持枠６３及び支持枠３の上下スライド長孔６４ｂを貫通させて装着した後にこれを締め付ける。これにより支持脚６４は支持脚保持枠６３に固定した状態で保持される。
【００４５】
床面に下端が接地して支持された支持脚６４、支持脚６４の上部側を固定した状態で保持する支持脚保持枠６３、支持脚保持枠６３が前部側に形成されたスライド部材６２、スライド部材６２の後部側が固定した状態で保持されるスライド部材保持片６１などを通じて、卓上刺繍台１の台座２は支持脚６４によってしっかりと支持されることになり、刺繍時に刺繍を刺す者の寄りかかる重みにより支持枠３及び台座２が卓上ａで傾いたり或いは転落するのが確実に防がれる。
【００４６】
このようにして、傾き転落防止機構６の支持脚６４によって、卓上ａに載せた卓上刺繍台１が傾いたり或いは転落しないように支持した後、卓上刺繍台１を使って刺繍を刺すために、折り畳まれていた支持枠３を手元側に引き上げる。当初の折り畳まれている時には、支持枠３の左右の側端枠３２の下面は、リンク機構４の左右のリンク軸受け固定片４１の上面に当接している。又支持枠３は全体的に台座２の後方側に位置している。
【００４７】
台座２に折り畳まれている支持枠３の左右の側端枠３２を手で掴み、引き上げながら手元側つまり台座２の前部側に向けて引き寄せながら立ち上げる。左右のリンク機構４の前部可動リンク片４２及び後部可動リンク片４３が下部側の前部リンク下軸４２ａ及び後部リンク下軸４３ａを中心として、上向きにしかも手前側に向かって回動し始める。
【００４８】
この回動する前部可動リンク片４２の上部側の前部リンク上軸４２ｂと、回動する後部可動リンク片４３の上部側の後部リンク上軸４３ｂとが左右の側端枠３２に軸支されている支持枠３は、これにより上向きにしかも手前側に向かって可動することになる。手前側に向かって可動する支持枠３は、途中までは上向きに回動するが、最高位置を過ぎると徐々に下向きに回動し始める。
【００４９】
手前側にしかも上向きにさらに途中から下向きに可動する支持枠３は、その間、リンク機構４の回動する前部可動リンク片４２と後部可動リンク片４３とにより、平行状態を維持したままで移動する。そして、所望の高さ或いは所望の手前位置まで支持枠３を引き寄せて立ち上げた後、支持枠調節保持機構５を利用して支持枠３を場所に保持する。
【００５０】
支持枠３の左右側端枠３２の内側面にその上部側のアーム軸５１ａが軸支されている支持枠調節保持機構５の調節保持アーム片５１を前後上下側に回動させて、左右の調節保持アーム片５１の下部側の間に横架された係止部材５２を、台座２の上面に取り付けられた複数の係止部材受け片５３の中で、対応する箇所に取り付けられている係止部材受け片５３の後面側に当接して止める。
【００５１】
左右の調節保持アーム片５１の下部側の間に横架された係止部材５２が、対応する箇所の係止部材受け片５３の後面側に当接して止まると、支持枠３はそれ以上手前側に可動することはなく、その位置で保持されることになる。同様に、支持枠３はそれ以上下側に可動することもない。このため、刺繍を刺す時に利き腕の重みが刺繍枠１１を通じて支持枠３に作用しても、支持枠３は下側に可動しないので、その上の刺繍枠１１に張られている刺繍用生地１１ａが刺繍中に動くこともない。
【００５２】
このようにして、卓上刺繍台１をテーブルなどの卓上ａにセットした後、支持枠３の上に刺繍用生地１１ａが張られた刺繍枠１１を載せ、支持枠３の上で刺繍枠１１がずれないように、図示しない保持具などにより保持させる。また、必要に応じて、糸縒り棒６５ａを糸縒り棒受け６５に取り付け、それから、テーブルなどの椅子に腰掛けて、刺繍を存分に楽しむ。
【００５３】
刺繍が終わって、片付けるときには、刺繍枠１１を支持枠３の上から取り外した後、支持枠３の左右の側端枠３２を手で掴み、引き上げながら向こう側つまり台座２の後方側に向けて押し出して、支持枠３を台座２に折り畳む。支持枠３の左右の側端枠３２に上部側が軸支されている左右の調節保持アーム片５１の下部側に横架されて連結された係止部材５２は、支持枠３が上向きに動くので、係止部材受け片５３側から離れて、支持枠３の向こう側への可動を阻止することはない。
【００５４】
このとき、左右のリンク機構４の前部可動リンク片４２及び後部可動リンク片４３が下部側の前部リンク下軸４２ａ及び後部リンク下軸４３ａを中心として、上向きにしかも向こう側つまり台座２の後方側に向かって回動し始める。この回動する前部可動リンク片４２の上部側の前部リンク上軸４２ｂと、回動する後部可動リンク片４３の上部側の後部リンク上軸４３ｂとが左右の側端枠３２に軸支されている支持枠３は、これにより上向きにしかも向こう側に向かって可動することになる。向こう側に向かって可動する支持枠３は、途中までは上向きに回動するが、最高位置を過ぎると徐々に下向きに回動し始める。
【００５５】
向こう側つまり台座２の後方側にしかも上向きにさらに途中から下向きに可動する支持枠３は、その間、リンク機構４の回動する前部可動リンク片４２と後部可動リンク片４３とにより、平行状態を維持したままで移動する。そして、向こう側にしかも下向きに可動する支持枠３の左右側端枠３２の下面がリンク機構４の左右のリンク軸受け固定片４１の上面に当接することにより、立ち上がっていた支持枠３は台座２に完全に折り畳まれる。
【００５６】
この支持枠３の折り畳み作業と相前後して、支持脚６４を支持脚保持枠６３に固定していた高さ調節保持具６４ａを弛めて取り外し、支持脚６４は支持脚保持枠６３の貫通孔から抜き出す。それから、前部側に支持脚保持枠６３が形成されたスライド部材６２の後部側を台座２のスライド部材保持片６１に固定していた前後調節保持具６２ａを弛め、台座２の前方の張り出していたスライド部材６２を台座２の後部側に向けて押し戻す。
【００５７】
再び前後調節保持具６２ａを締めて、スライド部材保持片６１にスライド部材６２を固定して、保管時にスライドしないようにした後に、卓上刺繍台１をテーブルなどの卓上ａから持ち上げて、所定の場所に保管収納する。
【００５８】
なお、この考案は上記考案を実施するための形態に限定されるものではなく、この考案の精神を逸脱しない範囲で種々の改変をなし得ることは勿論である。
【符号の説明】
【００５９】
１    卓上刺繍台
１１    刺繍枠
１１ａ  刺繍用生地
２    台座
３    支持枠
３１    前端枠
３２    側端枠
３３    後部連結枠
４    リンク機構
４１    リンク軸受け固定片
４２    前部可動リンク片
４２ａ  前部リンク下軸
４２ｂ  前部リンク上軸
４３    後部可動リンク片
４３ａ  後部リンク下軸
４３ｂ  後部リンク上軸
５    支持枠調節保持機構
５１    調節保持アーム片
５１ａ  アーム軸
５２    係止部材
５３    係止部材受け片
６    傾き転落防止機構
６１    スライド部材保持片
６２    スライド部材
６２ａ  前後調節保持具
６２ｂ  前後スライド長孔
６３    支持脚保持枠
６４    支持脚
６４ａ  高さ調節保持具
６４ｂ  上下スライド長孔
６５    糸縒り棒受け
６５ａ  糸縒り棒
ａ    卓上
【図１】
0003190610.tif 000003
【図２】
0003190610.tif 000004
【図３】
0003190610.tif 000005
【図４】
0003190610.tif 000006
【図５】
0003190610.tif 000007
【図６】
0003190610.tif 000008
【図７】
0003190610.tif 000009
【図８】
0003190610.tif 000010
【図９】
0003190610.tif 000011
【図１０】
0003190610.tif 000012
【図１１】
0003190610.tif 000013